(57)【特許請求の範囲】
【請求項１】
ＷＬＡＮ（Wireless Local Area Network）アクセスポイントを介してユーザ装置（２）が接続されたＨＰＬＭＮ（Home Public Land Mobile Network）（４）により、前記ユーザ装置（２）のローミングステアリングを制御する方法であって、
前記ＨＰＬＭＮ（４）は、ＳｏＲ（Steering of Roaming）情報を含んだＥＡＰ要求識別メッセージを前記ユーザ装置（２）に送信し、前記ユーザ装置（２）は、前記ＳｏＲ情報に基づいてネットワーク再選択を実行し、
前記ＳｏＲ情報は、さらに、前記ＨＰＬＭＮ（４）に接続されたすべてのユーザ装置が同時にＳｏＲを適用することを避けるために、前記ＨＰＬＭＮ（４）により指定されるタイマー値を含む
ことを特徴とする方法。
【請求項２】
前記ユーザ装置（２）は、可能な限り早く、前記ＳｏＲ情報に基づいてネットワーク再選択を行う
ことを特徴とする請求項１に記載の方法。
【請求項３】
前記ＳｏＲ情報はＰＬＭＮリダイレクションである
ことを特徴とする請求項２に記載の方法。
【請求項４】
前記ＳｏＲ情報は、ＩＷＬＡＮ（interworking WLAN）又は他のアクセスネットワーク（例えば、３ＧＰＰ  ＲＡＴ）を介した特定のＰＬＭＮへのステアリングコマンドである  ことを特徴とする請求項２に記載の方法。
【請求項５】
前記ＳｏＲ情報は、異なるアクセスネットワークタイプへのアクセスリダイレクションコマンドである
ことを特徴とする請求項２に記載の方法。
【請求項６】
前記ＳｏＲ情報は、現在のＷＬＡＮアクセスポイントと異なる、利用可能なＷＬＡＮアクセスポイントへのアクセスリダイレクションコマンドである
ことを特徴とする請求項２に記載の方法。
【請求項７】
前記ＳｏＲ情報は、特定のＷＬＡＮアクセスポイントへのステアリングコマンドである  ことを特徴とする請求項２に記載の方法。
【請求項８】
前記ＳｏＲ情報は、さらに、ＷＬＡＮとは異なる無線アクセス技術へのアクセスリダイレクションコマンドを含む
ことを特徴とする請求項２又は３に記載の方法。
【請求項９】
前記ＳｏＲ情報は、さらに、現在のＷＬＡＮアクセスポイントとは異なる、利用可能なＷＬＡＮアクセスポイントへのアクセスリダイレクションコマンドを含む
ことを特徴とする請求項２又は３に記載の方法。
【請求項１０】
前記ＳｏＲ情報は、さらに、特定のＷＬＡＮアクセスポイントへのアクセスリダイレクションコマンドを含む
ことを特徴とする請求項２又は３に記載の方法。
【請求項１１】
前記ＳｏＲ情報を受信すると、前記ユーザ装置（２）は、当該ＳｏＲ情報がＰＬＭＮに関するものである場合ＩＷＬＡＮ用のＰＬＭＮのリストを更新し、ＥＡＰ応答識別メッセージを前記ＨＰＬＭＮ（４）に送信し、前記ＳｏＲ情報に基づいて可能な限り早く自動ネットワーク再選択を実行して、異なるＰＬＭＮの前記ユーザ装置（２）による選択をさせる
ことを特徴とする請求項２又は３に記載の方法。
【請求項１２】
前記ＳｏＲ情報を受信すると、当該ＳｏＲ情報がアクセスネットワークリダイレクション又は特定のＷＬＡＮアクセスポイントへのステアリングに関する場合、前記ユーザ装置（２）は、ＷＬＡＮアクセスポイント識別子のリストを更新し、ＥＡＰ応答識別メッセージを前記ＨＰＬＭＮ（４）に送信し、可能な限り早く前記ＳｏＲ情報に基づいたネットワーク再選択を実行し、その結果、前記ユーザ装置（２）に異なるＷＬＡＮアクセスポイント又は異なるアクセスネットワークタイプを優先的に選択させる
ことを特徴とする請求項４乃至１０のうちいずれか１項に記載の方法。
【請求項１３】
ＷＬＡＮアクセスポイントを介してユーザ装置（２）が接続されたＨＰＬＭＮ（４）により、前記ユーザ装置（２）のローミングステアリングを制御する装置であって、
前記ＨＰＬＭＮ（４）は、ＳｏＲ情報を含んだＥＡＰ要求識別メッセージを前記ユーザ装置（２）に送信し、前記ユーザ装置（２）に、前記ＳｏＲ情報に基づいてネットワーク再選択を実行し、
前記ＳｏＲ情報は、さらに、前記ＨＰＬＭＮ（４）に接続されたすべてのユーザ装置が同時にＳｏＲを適用することを避けるために、前記ＨＰＬＭＮ（４）により指定されるタイマー値を含む
ことを特徴とする装置。
【請求項１４】
コンピュータに、
ＷＬＡＮアクセスポイントを介してユーザ装置（２）が接続されたＨＰＬＭＮ（４）により、前記ユーザ装置（２）のローミングステアリングを制御するステップを実現させるプログラムであって、
前記ＨＰＬＭＮ（４）は、ＳｏＲ情報を含んだＥＡＰ要求識別メッセージを前記ユーザ装置（２）に送信し、前記ユーザ装置（２）は、前記ＳｏＲ情報に基づいてネットワーク再選択を実行し、
前記ＳｏＲ情報は、さらに、前記ＨＰＬＭＮ（４）に接続されたすべてのユーザ装置が同時にＳｏＲを適用することを避けるために、前記ＨＰＬＭＮ（４）により指定されるタイマー値を含む
ことを特徴とするプログラム。
【発明の詳細な説明】
【技術分野】
【０００１】
本発明は、通信分野に関連するものであり、ＨＰＬＭＮ（Home Public Land Mobile Network）によりユーザ装置（ＵＥ）のローミングステアリングの制御方法に関するものである。ＵＥは無線ＬＡＮ（ＷＬＡＮ）アクセスポイント（ＡＰ）を経由したＷＬＡＮによってＨＰＬＭＮに接続されている。
【背景技術】
【０００２】
第２世代／第３世代のアクセスのための３ＧＰＰ（Third Generation Partnership Project）ＴＳ  ２３．１２２の規格において、ユーザ装置（ＵＥ）のローミングステアリングとは、当該ＵＥがＵＳＡＴ（USIM Application Toolkit）のリフレッシュコマンドを受信すると引き起こされる、アクセス技術を備えた、オペレータが制御するＰＬＭＮセレクタ（ＰＬＭＮリスト）の更新であり、その後に、可能な限り早くＰＬＭＮ再選択が実行される。
【０００３】
ＩＷＬＡＮ（Interworking Wireless Local Area Network）において、ＷＬＡＮアクセス用の、オペレータが制御するＰＬＭＮセレクタ（ＩＷＬＡＮ  ＰＬＭＮリスト）に生じる更新とは異なり、ＳｏＲはＵＥのＵＳＩＭに格納される、オペレータが優先するＰＬＭＮリストの情報を更新し、その後に、可能な限り早くＰＬＭＮ再選択が実行されることが予測される。
【０００４】
非特許文献１は、“ＩＷＬＡＮによって接続された特定のＰＬＭＮを探索するために、常時ＨＰＬＭＮによるＵＥへの指示を可能にするもとし、そして、利用できるならば、ＵＥがマニュアルモードでなくても可能な限り早くそのＰＬＭＮに移動できるようにするものとする”と記載している。さらに、非特許文献２で定義された拡張認証プロトコル（ＥＡＰ）は、非特許文献３で定義されているように、ＰＬＭＮにＩＷＬＡＮの手続を発見させることを可能にするが、ＥＡＰに基づくプロトコルはＳｏＲ用の手段を提供するためには存在できないように拡張された。
【０００５】
３ＧＰＰ  ＩＷＬＡＮ規格はＩＷＬＡＮアクセス用のＳｏＲの構造を定義しておらず、第２世代／第３世代において既存の方法は、たいてい特定のショートメッセージサービス（ＳＭＳ）Ｐｕｓｈ技術などが使用されることが知られている。ＳＭＳは当初携帯アクセスのために設計されたものであるので、それらの方法はＷＬＡＮアクセスに適していない。さらに、類似の技術（例えばＳＭＳやＩＰ）があるとしても、それらは、ＵＥに必ずＳＩＰ（Session Initiation Protocol）スタックを埋め込むことを要求する。
【先行技術文献】
【非特許文献】
【０００６】
【非特許文献１】３ＧＰＰ  ＴＳ  ２２．２３４規格  “Requirement on 3GPP system to WLAN interworking”, v8.1.0
【非特許文献２】ＩＴＥＦ  ＲＦＣ  ３７４８（２００４年６月）、“Extensible Authentication Protocol”
【非特許文献３】ＩＥＴＦ  ＲＦＣ  ４２８４（２００６年１月）、“Identity Selection Hints for the Extensible Authentication Protocol (EAP)”
【発明の概要】
【発明が解決しようとする課題】
【０００７】
本発明は、ＵＥがＷＬＡＮによって接続されている時にいつでも、異なるＰＬＭＮを探索するためにＨＰＬＭＮがＵＥに指示することができる適切なＳｏＲ方法を定義することを目的とする。
【０００８】
本発明の他の目的は、既存のプロトコルを用いて、異なるアクセスポイント又はＷＬＡＮネットワークと異なるアクセスネットワークにＳｏＲできるような方法及び手段である。
【課題を解決するための手段】
【０００９】
本発明の目的は、ＷＬＡＮを介してＵＥが接続されたＨＰＬＭＮによりＵＥのＳｏＲを制御する方法により達成される。ＨＰＬＭＮは、ＳｏＲ情報（ＳｏＲコマンド）を含むＥＡＰ要求識別メッセージを上記ＵＥに送信し、当該ＵＥは上記ＳｏＲ情報に基づいてネットワーク再選択を行う。
【００１０】
本発明によれば、上記ＵＥは可能な限り早くＳｏＲ情報に基づいてネットワーク再選択を行う。
【００１１】
本発明の第１の実施形態によれば、ＳｏＲ情報は、ＰＬＭＮリダイレクションコマンドである。
【００１２】
本発明の第２の実施形態によれば、ＳｏＲ情報は、ＩＷＬＡＮ又は他のアクセスネットワーク（例えば、３ＧＰＰ無線アクセス技術（ＲＡＴ））による特定のＰＬＭＮへのステアリングコマンドである。
【００１３】
本発明の第３の実施形態によれば、ＳｏＲ情報は、異なるアクセスネットワークタイプ（例えば、３ＧＰＰ  ＲＡＴ）へのアクセスリダイレクションコマンドである。
【００１４】
本発明の第４の実施形態によれば、上記ＳｏＲ情報は、現在のＷＬＡＮアクセスポイントと異なる、利用可能なＷＬＡＮアクセスポイントへのアクセスリダイレクションである。
【００１５】
本発明の第５の実施形態によれば、ＳｏＲ情報は、特定のＷＬＡＮアクセスポイントへのステアリングコマンドである。
【００１６】
本発明の第１及び第２の実施形態において、受け付けると、ＳｏＲ情報がＰＬＭＮに関するものならば、ＵＥはＩＷＬＡＮ用のＰＬＭＮリスト（ＩＷＬＡＮ  ＰＬＭＮリスト）を更新し、ＨＰＬＭＮにＥＡＰ応答識別メッセージを送信し、可能な限り早く上記ＳｏＲ情報に基づいた自動ネットワーク再選択を実行する。その結果、ＵＥは異なるＰＬＭＮを優先的に選択することになる。
【００１７】
本発明の第３、第４、及び第５の実施形態において、ＳｏＲ情報を受け付けると、当該ＳｏＲ情報がアクセスネットワークリダイレクション又は特定のＷＬＡＮアクセスポイントへのステアリングに関するものならば、上記ＵＥはＷＬＡＮアクセスポイントのリスト（ＩＷＬＡＮ  ＡＰリスト）を更新し、ＨＰＬＭＮにＥＡＰ応答識別メッセージを送信し、可能な限り早く上記ＳｏＲ情報に基づいたネットワーク再選択を実行する。その結果、ＵＥは優先的に異なるＷＬＡＮアクセスポイント又は異なるアクセスネットワークタイプ（例えば、３ＧＰＰ  ＲＡＴ）を選択することになる。
【００１８】
ＳｏＲ情報がＰＬＭＮリダイレクション又は特定のＰＬＭＮへのステアリングコマンドである場合、ＳｏＲ情報は、ＩＷＬＡＮとは異なるアクセスタイプ又は異なるＷＬＡＮアクセスポイントがＰＬＭＮリダイレクション又は特定のＰＬＭＮへのステアリングを利用する指示をさらに含んでもよい。
【００１９】
任意に、ＳｏＲ情報は、ＨＰＬＭＮに接続されたすべてのＵＥが同時にＳｏＲを利用することを防ぐために、当該ＨＰＬＭＮによって指定されるタイマー値をさらに含む。
【００２０】
本発明の他の特徴及び利点は、以下の図を参照して、限定されない例として捉えられる以下の記述から現れる。
【図面の簡単な説明】
【００２１】
【図１】ＵＥの基本的な構成要素を示すブロック図である。
【図２】ＨＰＬＭＮサーバ２０００の基本的な構成要素を示すブロック図である。
【図３Ａ】ＵＥのＵＳＩＭに格納されるＰＬＭＮの優先度を示すＩＷＬＡＮ  ＰＬＭＮリストである。
【図３Ｂ】ＵＥのＵＳＩＭに格納されるＩＷＬＡＮ  ＡＰの優先度を示すＩＷＬＡＮ  ＡＰリストである。
【図４】ＨＰＬＭＮサーバに格納されるＵＥの情報を示すリストである。
【図５】本発明に係るＳｏＲの基本ステップの概略図である。
【図６】本発明に係るあり得るＳｏＲコマンドを示すものである。
【図７】本発明に係るＳｏＲを実行するためにＵＥと基地局との間での信号伝達のやりとりを示す図である。
【図８】ＳｏＲコマンドがＰＬＭＮリダイレクションである場合のＵＥの動作を説明するためのブロック図である。
【図９】ＳｏＲコマンドが特定のＰＬＭＮへのステアリングである場合のＵＥの動作を説明するためのブロック図である。
【図１０】ＳｏＲコマンドがアクセスリダイレクションである場合のＵＥの動作を説明するためのブロック図である。
【図１１】ＳｏＲコマンドが特定のアクセスポイントへのステアリングである場合のＵＥの動作を説明するためのブロック図である。
【発明を実施するための形態】
【００２２】
以下に、本発明の好適実施形態を、図を参照して詳細に示す。
【００２３】
図１は本発明の実施形態に係るＵＥ２の基本的な構成要素を説明するためのブロック図である。
【００２４】
ＣＰＵ  １００１は、二次電池を有する電源部１００２から供給されたパワーを操作し、記憶部１００３に格納された様々なプログラムに従ってＵＥ２の一般的な動作を制御する。記憶部１００３はＲＯＭ及びＲＡＭを有して構成される。後述する図７乃至１１で説明される操作手順に従って実施形態を実現するプログラムは、記憶部１００３のプログラム領域に格納される。アドレス帳のようなＵＥの機能のための情報も記憶部１００３に格納される。記録媒体１００４は、着脱可能な携帯用メモリであり、例えば、ＳＤカードやＵＳＩＭカード等から構成される。
【００２５】
ＵＳＩＭカードは、図３Ａ及び３Ｂに示されるような、ＩＷＬＡＮ  ＰＬＭＮリストや  ＩＷＬＡＮ  ＡＰリストを格納する。ＰＬＭＮの優先度はＩＷＬＡＮ  ＰＬＭＮリストに記述され、一方、ＷＬＡＮアクセスポイントの優先度はＩＷＬＡＮ  ＡＰリストに記述される。ＰＬＭＮの優先度に基づき、ＨＰＬＭＮ４がＵＥ２に現在のＰＬＭＮと異なるＰＬＭＮ又は特定のＰＬＭＮを探索するように指示したとすると、ＵＥ２はネットワーク再選択を実行する。同様に、ＷＬＡＮアクセスポイントの優先度に基づき、ＨＰＬＭＮ４がＵＥ２に現在のＷＬＡＮアクセスポイントと異なるＷＬＡＮアクセスポイント又は特定のＰＬＭＮを指示したとすると、ＵＥ２はネットワーク再選択を開始する。
【００２６】
無線通信部１００５は、アンテナに接続された送受信部（ベースバンド部）の受信側から信号を取り出し、その信号を受信ベースバンドシグナルに復調する。そして、受信ベースバンドシグナルは、音響制御部１００６を介して、受信スピーカ１００７から聞き取れるように出力される。それから、無線通信部１００５は、音響制御部１００６を介して、送信マイク１００８から入力された声データを取り出し、声データを送信ベースバンド信号に符号化し、そして、送信ベースバンド信号を送受信部の送信側に供給する。送信ベースバンド信号は、その後アンテナから送信される。ｅメール機能又はインターネット接続機能により無線通信部１００５を介して受信した表示データは、高解像度表示を提供するＬＣＤ（Liquid Crystal Display）のような表示部１００９に供給され、それに表示される。
【００２７】
操作部１０１０は様々な操作キー、ポインティング装置などを有し、ダイアル入力、文字入力、コマンド入力等を行う。例えば、操作部１０１０は、ＴＶのＯＮ／ＯＦＦキーや、録音／再生キーを備える。ＣＰＵ１００１は、操作部１０１０からの操作入力信号に従って、処理を実行する。ＲＴＣ（Real Time Clock）１０１１はクロック部を構成する。ＣＰＵ１００１は、ＲＴＣ１０１１から現在のデータを取得する。通知部１０１２は、スピーカ、ＬＥＤ（Light Emitting Diode）、及び振動モータを有し、電話が鳴った際の入電又はｅメールの受信を知らせるために駆動され、警報を鳴らすときにも駆動される。
【００２８】
無線ＬＡＮモジュール１０１３は、無線ＬＡＮ通信機能を提供し、アンテナを有する。無線ＬＡＮモジュール１０１３は、ＷＬＡＮアクセスポイントに接続されたときに、高速無線通信を実行する。例えば、使用中の無線ＬＡＮモジュール１０１３は、最大１１Ｍｂｉｔ／ｓｅｃの規定の通信速度で２．４ＧＨｚ帯において規定の使用頻度を有する。ＧＰＳ（Global Positioning System）部１０１４は、衛星及び地上管制局を利用して、現在地（地理座標）を受信する。ＣＰＵ１００１は、ＧＰＳにより計測された位置を取得、及び、ユーザの現在位置（ＵＥ２の位置）を観測するために、ＧＰＳ部１０１４に１分毎にアクセスする。
【００２９】
図２は、本発明の実施形態に係るＨＰＬＭＮサーバの基本的な構成要素を示すブロック図である。
【００３０】
ＨＰＬＭＮ２０００は、ＣＰＵ２００１と、メモリ２００２と、通信部２００３と、バス２００４と、から構成される。
【００３１】
ＣＰＵ２００１は、メモリ２００２に格納された様々なプログラムに従って、各ＵＥ２を管理する。メモリ２００２はプログラム領域とデータ領域とを有する。プログラム領域は、ＵＥ２を管理するための管理プログラムを格納する。データ領域は、例えば、各ＵＥ２の電話番号、ｅメールアドレス、位置情報、及びＵＥ２が登録されているネットワークの情報とを関連付けた、図４に示すテーブルを格納する。ＣＰＵ２００１は、要求に応じて各ＵＥ２の位置情報を更新する。
【００３２】
図５を参照すると、ＨＰＬＭＮ４に接続されたＵＥ２は、第１訪問ＰＬＭＮ（ＶＰＬＭＮ１）６と、第２ＶＰＬＭＮ（ＶＰＬＭＮ２）８と、第３ＶＰＬＭＮ（ＶＰＬＭＮ３）１０とから構成される領域においてローミングをする。ローミング領域は、第１アクセスポイント１２を有するＷＬＡＮ１と、第２アクセスポイント１４を有するＷＬＡＮ２と、第３アクセスポイント１６を有するＷＬＡＮ３と、第４アクセスポイント１８を有するＷＬＡＮ４と、から構成される。
【００３３】
ＵＥ２は、以下に示す３ＧＰＰ  ｉｎｔｅｒｗｏｒｋｉｎｇ  ＷＬＡＮ手順に従って、ネットワーク再選択を行う。
【００３４】
ＵＥ２は、ＷＬＡＮ１に接続し、ＥＡＰプロトコルを用いて第１ＶＰＬＭＮ６に登録する。登録手続の間、ＨＰＬＭＮ４は、ＵＥ２の認証を行い、当該ＵＥ２にネットワーク選択を行うことを許可し、ＵＥ２が登録したネットワークについての情報を取得する。
【００３５】
ＨＰＬＭＮ４が他のＰＬＭＮにＵＥ２を誘導すると決定した場合、例えば、第３ＶＰＬＭＮ１０は、ＥＡＰプロトコルを使用してＵＥ２にＳｏＲコマンドを送信する。当該コマンドを受信すると、ＵＥ２は、ＳｏＲコマンドを考慮し、好適なネットワークを有する更新されたリストを使用して新たなネットワーク選択を開始する。
【００３６】
ＳｏＲの結果として、ＵＥ２は、ＷＬＡＮ４に接続し、第３ＶＰＬＭＮ１０に登録する。
【００３７】
図６は、あり得るＳｏＲコマンドを説明するものである。パラメータは、以下に記述するようにコマンドの論理記述である。ＷＬＡＮアクセスポイントの識別子は、以下、ＷＳＩＤという。
【００３８】
図６に示されるように、ＳｏＲコマンドは以下に関するものである。
ａ−ＵＥが最初に登録したものとは異なる他のＰＬＭＮ２０への、そして、ひいては他のアクセスタイプ（例えば、３ＧＰＰ）又は他のＷＬＡＮアクセスポイントへのＰＬＭＮリダイレクション。この場合、ＳｏＲコマンドパラメータは以下のように定義される。
ＳｏＲ−Ｃｏｍｍａｎｄ：：＝｛
＜ＳｏＲ−Ｔｙｐｅ＞
＜Ａｃｃｅｓｓ−ＳｏＲ−Ｔｙｐｅ＞
｝
ここで、＜ＳｏＲ−Ｔｙｐｅ＞は‘ＰＬＭＮ−ｒｅｄｉｒ’に設定される。
そして、＜Ａｃｃｅｓｓ−ＳｏＲ−Ｔｙｐｅ＞は、現在、‘Ａｃｃｅｓｓ−ｒｅｄｉｒ’［＜Ａｃｃｅｓｓ−Ｔｙｐｅ＞］、又は、ＷＳＩＤを有する‘Ｓｐｅｃｉｆｉｃ−ＡＰ’に設定される。
そして、＜Ａｃｃｅｓｓ−ＳｏＲ−Ｔｙｐｅ＞は、任意である。
ｂ−最も優先度が高いとみなされた特定のＰＬＭＮ２２、そして、ひいては他のアクセスタイプ（例えば、３ＧＰＰ）又は他のＷＬＡＮアクセスポイントへのリダイレクション。この場合、ＳｏＲコマンドパラメータは以下のように定義される。
ＳｏＲ−Ｃｏｍｍａｎｄ：：＝｛
＜ＳｏＲ−Ｔｙｐｅ＞，
＜Ａｃｃｅｓｓ−ＳｏＲ−Ｔｙｐｅ＞
｝
ここで、＜ＳｏＲ−Ｔｙｐｅ＞はＰＬＭＮ−ｉｄの指示を有する‘Ｓｐｅｃｉｆｉｃ−ＰＬＭＮ’に設定される。
そして、＜Ａｃｃｅｓｓ−ＳｏＲ−Ｔｙｐｅ＞は、現在、‘Ａｃｃｅｓｓ−ｒｅｄｉｒ’［＜Ａｃｃｅｓｓ−Ｔｙｐｅ＞］、又は、ＷＳＩＤを有する‘Ｓｐｅｃｉｆｉｃ−ＡＰ’に設定される。
そして、＜Ａｃｃｅｓｓ−ＳｏＲ−Ｔｙｐｅ＞は、任意である。
ｃ−他のアクセスタイプ２４（例えば、３ＧＰＰ）又は他のＷＬＡＮアクセスポイントへのリダイレクション。この場合、ＳｏＲコマンドパラメータは以下のように定義される。
ＳｏＲ−Ｃｏｍｍａｎｄ：：＝｛
＜Ａｃｃｅｓｓ−ＳｏＲ−Ｔｙｐｅ＞
｝
ここで、＜Ａｃｃｅｓｓ−ＳｏＲ−Ｔｙｐｅ＞は、‘Ａｃｃｅｓｓ−ｒｅｄｉｒ’［＜Ａｃｃｅｓｓ−Ｔｙｐｅ＞］に設定される。
ｄ−特定のＷＬＡＮアクセスポイント２６へのステアリング。この場合、ＳｏＲコマンドパラメータは以下のように定義される。
ＳｏＲ−ｃｏｍｍａｎｄ：：＝｛
＜Ａｃｃｅｓｓ−ＳｏＲ−Ｔｙｐｅ＞
｝
ここで、＜Ａｃｃｅｓｓ−ＳｏＲ−Ｔｙｐｅ＞は、ＷＳＩＤを有する‘Ｓｐｅｃｉｆｉｃ−ＡＰ’である。
【００３９】
ＵＥ２は、始めに、ＩＷＬＡＮを介してＶＰＬＭＮ  Ａ１９に登録され、ＥＡＰ要求に含まれるＳｏＲコマンドを受信すると仮定する。コマンドに含まれるパラメータは以下に記される。
【００４０】
＜ＳｏＲ−Ｔｙｐｅ＞パラメータは、ＰＬＭＮステアリングのために使用され、ＰＬＭＮリダイレクション（＜ＳｏＲ−Ｔｙｐｅ＞は‘ＰＬＭＮ−ｒｅｄｉｒ’に設定される）と特定のＰＬＭＮへのステアリング（＜ＳｏＲ−Ｔｙｐｅ＞は‘Ｓｐｅｃｉｆｉｃ−ＰＬＭＮ’に設定される）とを識別することを可能にする。＜ＳｏＲ−Ｔｙｐｅ＞パラメータ値が特定のＰＬＭＮへのステアリングに関する場合、コマンドはさらに、ＰＬＭＮ識別子を含む。
【００４１】
＜Ａｃｃｅｓｓ−ＳｏＲ−Ｔｙｐｅ＞パラメータは、アクセスステアリングのために使用され、アクセスリダイレクション（＜Ａｃｃｅｓｓ−ＳｏＲ−Ｔｙｐｅ＞は‘Ａｃｃｅｓｓ−ｒｅｄｉｒ’に設定される）と特定のＷＬＡＮアクセスポイントへのステアリング（＜Ａｃｃｅｓｓ−ＳｏＲ−Ｔｙｐｅ＞は‘Ｓｐｅｃｉｆｉｃ−ＡＰ’に設定される）とを識別することを可能にする。
【００４２】
＜Ａｃｃｅｓｓ−ＳｏＲ−Ｔｙｐｅ＞パラメータ値がアクセスリダイレクションに関する場合、ＳｏＲコマンドは、一方では、ＷＬＡＮとは異なるアクセス技術にＵＥを誘導することが可能であり、その場合追加の＜Ａｃｃｅｓｓ−Ｔｙｐｅ＞パラメータが、３ＧＰＰ  ＧＥＲＡＮ、ＵＴＲＡＮ、又はＥ−ＵＴＲＡＮのようなアクセス技術のどれを優先的に再選択すべきかを示すために提供される。あるいは、他方では、現在選択されていたアクセスポイントと異なるアクセスポイントにＩＷＬＡＮ技術の範囲内でＵＥを誘導するようにすることが可能であり、この場合＜Ａｃｃｅｓｓ−Ｔｙｐｅ＞パラメータは省略される。
【００４３】
＜Ａｃｃｅｓｓ−ＳｏＲ−Ｔｙｐｅ＞パラメータ値が特定のＷＬＡＮアクセスポイントへのＳｏＲに関するものである場合、アクセスポイント識別子の値ＷＳＩＤが示される。
【００４４】
したがって、＜ＳｏＲ−Ｔｙｐｅ＞が提示された場合、ＳｏＲコマンドはＰＬＭＮステアリングに関するものであり、ＰＬＭＮリダイレクション（ａの場合）又は特定のＰＬＭＮへのステアリング（ｂの場合）のいずれかである。また、＜Ａｃｃｅｓｓ−ＳｏＲ−Ｔｙｐｅ＞が提示された場合、ＳｏＲコマンドはアクセスステアリングに関するものであり、他のＲＡＴ又はＩＷＬＡＮ内のアクセスリダイレクション（ｃの場合）又は特定のアクセスポイントへのステアリング（ｄの場合）のいずれかである。あるいは、ＰＬＭＮステアリング及びアクセスステアリングの両者の組み合わせ（ａ及びｂの場合）に関するものである。
【００４５】
ａの場合、ＳｏＲ情報とはＰＬＭＮ再選択である。ＵＥ２はＶＰＬＭＮ  Ａ１９に代わりＰＬＭＮ２０を選択する。したがって、ＶＰＬＭＮ  Ａ１９は、最も優先度の低いＰＬＭＮとみなされる。任意に、ＵＥ２０はさらに、他のアクセスタイプ（例えば、３ＧＰＰ  ＲＡＴ）又は他のアクセスポイントへリダイレクトされる。したがって、＜ＳｏＲ−Ｔｙｐｅ＞の値は、“ＰＬＭＮ−ｒｅｄｉｒ”及び＜Ａｃｃｅｓｓ−ＳｏＲ−Ｔｙｐｅ＞はアクセスリダイレクション、又は、特定のＷＬＡＮアクセスポイントへのリダイレクションのために任意に指定される。
【００４６】
ｂの場合、ＳｏＲ情報とは、特定のＰＬＭＮ、すなわちＶＰＬＭＮ  Ｂ２２へのステアリングである。したがって、ＶＰＬＭＮ  Ｂ２２はＳｏＲ情報に示され、ＵＥ２は、最も優先度の高いＰＬＭＮとみなされたこの特定のＰＬＭＮにリダイレクトされる。任意に、ＵＥ２は、さらに、他のアクセスタイプ（例えば、３ＧＰＰ  ＲＡＴ）又は他のアクセスポイントにリダイレクトされる。したがって、＜ＳｏＲ−Ｔｙｐｅ＞の値は、ＰＬＭＮ識別子の指定を伴った“ｓｐｅｃｉｆｉｃ−ＰＬＭＮ”に設定され、＜Ａｃｃｅｓｓ−ＳｏＲ−Ｔｙｐｅ＞は、任意に、アクセスリダイレクション又は特定のＷＬＡＮアクセスポイントへのリダイレクションのために指定される。
【００４７】
ｃの場合、ＳｏＲ情報とは、アクセスリダイレクションである。したがって、ＵＥ２は他のアクセスタイプ（例えば３ＧＰＰ  ＲＡＴ）又は他のアクセスポイント２４にリダイレクトされる。したがって、＜ＳｏＲ−Ｔｙｐｅ＞の指示は無く、代わりに＜Ａｃｃｅｓｓ−ＳｏＲ−Ｔｙｐｅ＞の値は、“Ａｃｃｅｓｓ−ｒｅｄｉｒ”に設定される。任意に、＜Ａｃｃｅｓｓ−Ｔｙｐｅ＞パラメータは他のＲＡＴを指定するために示される。そして、＜Ａｃｃｅｓｓ−Ｔｙｐｅ＞が指示されない場合、リダイレクションはＷＬＡＮ  ＡＰリダイレクションに関し、現在のＷＬＡＮアクセスポイントは最も優先度が低いＷＬＡＮアクセスポイントとしてみなされる。しかし、＜Ａｃｃｅｓｓ−Ｔｙｐｅ＞が存在するならば、その場合リダイレクションはＲＡＴ選択（例えば３ＧＰＰ  ＲＡＴ再選択）に関するものである。
【００４８】
ｄの場合、ＳｏＲ情報とは、特定のアクセスポイント２６へのステアリングである。したがって、ＵＥは現在関連付けられているアクセスポイントとは異なるアクセスポイントと関連付けるよう要求する。したがって、＜ＳｏＲ−Ｔｙｐｅ＞パラメータの指示は無く、代わりに＜Ａｃｃｅｓｓ−ＳｏＲ−Ｔｙｐｅ＞の値は“Ｓｐｅｃｉｆｉｃ−ＡＰ”に設定され、最も優先度の高いＷＬＡＮアクセスポイントの識別子が与えられる。
【００４９】
図７は、本発明に係る方法の主な工程を説明するものである。
【００５０】
ＵＥ２は、３ＧＰＰ  ｉｎｔｅｒｗｏｒｋｉｎｇ  ＷＬＡＮ手続に従って、ネットワーク再選択を行う、すなわち、ＵＥ２は、ＷＬＡＮ１に接続し、ＥＡＰプロトコルを用いて第１ＶＰＬＭＮ６に登録される、と仮定する。登録手続の間、ＨＰＬＭＮ４は、そのようなネットワーク再選択を行うためにユーザを認証し権限を与え、そして、ＵＥ２が登録されるネットワークについての情報を取得する。
【００５１】
そのような選択の実行する手続は、図５乃至７を参照して以下に記されるステップ３０乃至５２から構成される。
【００５２】
ステップ３０において、ＷＬＡＮ１のＷＬＡＮ  ＡＰ１２（ＷＬＡＮ  ＡＰ１）は、ＵＥ２に、ＥＡＰ−要求／識別を送信する。
【００５３】
ステップ３４において、ＵＥ２は、ＥＡＰ−応答／識別をＷＬＡＮ  ＡＰ１２に送信する。
【００５４】
ステップ３６において、ＷＬＡＮ  ＡＰ１２は、第１ＶＰＬＭＮ６及びＨＰＬＭＮ４にｒａｄｉｕｓアクセス要求を送信する。
【００５５】
ステップ３８において、ＨＰＬＭＮ４は、認証／暗号鍵配送スキーム（ＡＫＡ）メッセージのＥＰＡ−要求／ＡＫＡ−識別を、ＷＬＡＮ  ＡＰ１２、第１ＶＰＬＭＮ６、及びＵＥ２に送信する。ＨＰＬＭＮ４は、ＥＡＰ  ＡＫＡ要求の代わりに、ひいてはＥＡＰ  ＳＩＭ認証手続に導くＥＡＰ−ＳＩＭ認証を要求してもよい。
【００５６】
ステップ４０において、ＵＥ２は、ＥＡＰ−応答／ＡＫＡ−識別を、ＷＬＡＮ  ＡＰ１２、第１ＶＰＬＭＮ６、及びＨＰＬＭＮ４に送信する。
【００５７】
上記ＥＡＰ−応答／ＡＫＡ−識別を受信すると、ステップ４２において、ＨＰＬＭＮ４はＥＡＰ−要求／ＡＫＡ−申込（ＲＡＮＤ、ＡＵＴＮ、ＭＡＣ、Ｐｓｅｕｄｏｎｙｍ、ｎｅｘｔ  ｒｅ−ａｕｔｈ  ｉｄ、ｒｅｓｕｌｔ  ｉｎｄ）を、ＷＬＡＮ  ＡＰ１２、第１ＶＰＬＭＮ６、及びＵＥ２に送信する。
【００５８】
ステップ４４において、ＵＥ２は、ＵＭＴＳ認証／暗証鍵配送スキーム（ＵＭＴＳ−ＡＫＡ）及びネットワーク認証手続を実行し、ＥＡＰ−応答／ＡＫＡ−申込（ＲＥＳ、ＭＡＣ、ｒｅｓｕｌｔ  ｉｎｄ）を、ＷＬＡＮ  ＡＰ１２、第１のＶＰＬＭＮ６、及びＨＰＬＭＮ４に送信する（ステップ４６）。
【００５９】
ステップ４８において、ＨＰＬＭＮ４は、ＥＡＰ−要求／ＡＫＡ−通知（成功）を、ＶＰＬＭＮＺ６及びＷＬＡＮ  ＡＰ１２に送信する。
【００６０】
ステップ５０において、ＷＬＡＮ  ＡＰ１２は、ＥＡＰ−応答／ＡＫＡ−通知を、第１ＶＰＬＭＮ６及びＨＰＬＭＮ４に送信する。
【００６１】
上記通知を受信すると、ＨＰＬＭＮ４は、鍵材料（Ｋｅｙｉｎｇ  ｍａｔｅｒｉａｌ）を有するＥＡＰ−成功を、ＷＬＡＮ  ＡＰ１２、第１ＶＰＬＭＮ６、及びＵＥ２に送信する（ステップ５２）。
【００６２】
さらに、ＷＬＡＮ  ＡＰ１２とは異なるＰＬＭＮ及び／又は異なるアクセスへのＳｏＲを可能とするために、ステップ５４において、ＨＰＬＭＮ４は、ＳｏＲ情報（ＳｏＲコマンド）を含むＥＡＰ要求識別メッセージを、ＷＬＡＮ  ＡＰ１２、第１ＶＰＬＭＮ６、及びＵＥ２に送信する。
【００６３】
上記ＳｏＲ情報（ＳｏＲコマンド）は、ＰＬＭＮリダイレクション、特定のＰＬＭＮへの（ＩＷＬＡＮ又は第２／第３世代を経由した）ステアリング、（ＷＬＡＮ又は３ＧＰＰ  ＲＡＴのようなＷＬＡＮ以外の他のアクセス内で）アクセスリダイレクション、又は、特定のＷＬＡＮ  ＡＰへのステアリングでもよい。
【００６４】
上記ＳｏＲコマンドを受信すると、ステップ５６において、ＵＥ２はＳｏＲ情報を復号化し、ＳｏＲコマンドで定義されたＷＬＡＮ  ＡＰ１２からの切断及びＷＬＡＮ  ＡＰ１４への接続の予定を決めるための、オペレータにより定義されるタイマーを任意に使用する。
【００６５】
ステップ６０において、ＵＥ２は、ＥＡＰ応答／識別を、ＷＬＡＮ、ＶＰＬＭＮ６、及びＨＰＬＭ４へ送信する。
【００６６】
ステップ６２において、ＵＥ２は、ＷＬＡＮ  ＡＰ１から切断し、ＷＬＡＮ  ＡＰ１４を介した接続を行う（ステップ６４）、又は、第３世代ネットワークの接続を行う（ステップ６６）。
【００６７】
図８は、ＰＬＭＮリダイレクションに関連するＳｏＲコマンドを受信した場合にＵＥ２により実行される動作を示す（図６のａの場合）。
【００６８】
この場合に、以下のステップが実行される。
ステップ７０において、＜ＳｏＲ−Ｔｙｐｅ＞パラメータの存在及び値を調べることにより、ＳｏＲコマンドがＰＬＭＮステアリングコマンドを含むかどうかを決定する。＜ＳｏＲ−Ｔｙｐｅ＞パラメータが存在する場合、ＰＬＭＮステアリングコマンドは含まれ、‘ＰＬＭＮ−ｒｅｄｉｒ’に設定されている場合はＰＬＭＮリダイレクションに関するものであり、‘Ｓｐｅｃｉｆｉｃ−ＰＬＭＮ’に設定されている場合は、特定のＰＬＭNへのステアリングに関するものである。
ステップ７２において、＜Ａｃｃｅｓｓ−ＳｏＲ−Ｔｙｐｅ＞の存在及び値を調べることにより、ＳｏＲコマンドがさらにアクセスステアリングコマンドを含むかどうかを調べる。＜Ａｃｃｅｓｓ−ＳｏＲ−Ｔｙｐｅ＞パラメータが存在する場合、アクセスステアリングコマンドが指示され、‘Ａｃｃｅｓｓ−ｒｅｄｉｒ’に設定されている場合はアクセスリダイレクションに関するものであり、‘Ｓｐｅｃｉｆｉｃ−ＡＰ’に設定されている場合、特定のアクセスにステアリングするものである。
ステップ７４において、ＳｏＲコマンドがアクセスリダイレクションに関するアクセスステアリングコマンドを含んでいない場合、ＵＥ２は現在のＰＬＭＮをＩＷＬＡＮに関連付けられたＰＬＭＮリストにおいて最も優先度が低いＰＬＭＮとして設定され、ステップ７５において、可能な限り早くＩＷＬＡＮネットワーク再選択が開始される。
ステップ７６において、ＳｏＲコマンドが特定のＷＬＡＮアクセスポイント（ｓｏｒ−ｗｓｉｄ）に関するアクセスステアリングコマンドを含む場合、ＵＥ２は指示されたｓｏｒ−ｗｓｉｄをリスト内で最も高い優先度のアクセスポイントとしてＩＷＬＡＮ  ＡＰリストを更新し、ステップ７４及び７５を行う。
ステップ７８において、ＳｏＲコマンドがアクセスリダイレクション［Ａｃｃｅｓｓ  Ｔｙｐｅ］に関するアクセスステアリングコマンドを含む場合、ＵＥ２は現在のＰＬＭＮを各ＲＡＴに関連付けられたＰＬＭＮリストの最も優先度が低いＰＬＭＮとして設定し、ステップ８０において、アクセスタイプを調べる。
【００６９】
アクセスタイプがＷＬＡＮアクセスの場合、又は、ＳｏＲコマンドにおいてアクセスタイプがない場合、ステップ８２において、ＵＥ２は、リスト内の最も優先度の低いアクセスポイントとして現在のＷＬＡＮアクセスポイントを設定することにより、ＩＷＬＡＮ  ＡＰリストを更新し、ステップ７５を実行する。
【００７０】
あるいは、アクセスタイプが他のＲＡＴの場合、ＵＥ２はステップ８４において可能な限り早く、選択されたアクセスタイプに基づいてネットワーク再選択を開始する。
【００７１】
図９は、特定のＰＬＭＮへのステアリングに関するＳｏＲコマンドを受信した場合（図６におけるｂの場合）に、ＵＥ２によって実行される動作を示す。
【００７２】
ＵＥ２はステップ７０及び７２を実行する。
【００７３】
ＳｏＲコマンドがアクセスリダイレクションに関するアクセスステアリングコマンドをさらに含まない場合、ステップ９０において、ＵＥ２はＩＷＬＡＮ  ＰＬＭＮリストを更新し（指示されたＰＬＭＮが最も優先度の高いＰＬＭＮになる）、ステップ９２において可能な限り早く開始する。
【００７４】
ＳｏＲコマンドが他の無線アクセス技術へのアクセスリダイレクションをさらに含む場合、ステップ９４において、ＵＥ２は指定された無線アクセス技術用のＰＬＭＮリストを更新し（指示されたＰＬＭＮが最も優先度の高いＰＬＭＮになる）、ステップ９６においてアクセスタイプを調べる。
【００７５】
アクセスタイプがＷＬＡＮアクセスの場合、又は、ＳｏＲコマンドにおいてアクセスタイプがない場合、ステップ９８において、ＵＥ２は、現在のＷＬＡＮアクセスポイントをリスト内で最も優先度の低いアクセスポイントとして設定することによりＩＷＬＡＮ  ＡＰリストを更新する。
【００７６】
あるいは、アクセスタイプが他のＲＡＴの場合、ステップ１００において、ＵＥ２は、できる限り早く選択されたアクセスタイプに基づいたネットワーク再選択を行う。
【００７７】
ＳｏＲコマンドが特定のＷＬＡＮ  ＡＰ（ｓｏｒ−ｗｓｉｄ）を含む場合、ステップ１０２において、ＵＥ２は、指示されたｓｏｒ−ｗｓｉｄをリスト内で最も優先度の高いアクセスポイントとして設定することによりＩＷＬＡＮ  ＡＰリストを更新し、ステップ９０及び９２を実行する。
【００７８】
図１０は、アクセス再選択（図６におけるｃの場合）に関するＳｏＲコマンドを受信したＵＥ２によって実行される動作を示す。
【００７９】
ＵＥ２は、図８及び９の場合のようにステップ７０及び７２を実行する。
【００８０】
ステップ１１０において、ＵＥ２はアクセスタイプを調べる。
【００８１】
アクセスタイプがＷＬＡＮとは異なる無線アクセス技術に関する場合、ステップ１１２において、ＵＥ２は、可能な限り早く指示されたＲＡＴに基づくネットワーク選択を開始する。
【００８２】
さもなければ、すなわち、アクセスタイプが存在しない又はＷＬＡＮに関する場合、ステップ１１４において、ＵＥ２は、ＩＷＬＡＮ  ＡＰリストを更新し（現在のＷＳＩＤが最も優先度が低く設定される）、ステップ１１６において、可能な限り早くＩＷＬＡＮのネットワーク再選択を開始する。
【００８３】
図１１は、アクセス再選択（図６におけるｄの場合）に関するＳｏＲコマンドを受信したＵＥ２により実行される動作を示す。
【００８４】
ＵＥ２は図８、９、及び１０の場合のように、ステップ７０及び７２を実行する。
【００８５】
ステップ１１８において、ＵＥは、ＩＷＬＡＮ  ＡＰリストを更新し（指示されたＷＳＩＤが最も優先度が高く設定される）、ステップ１２０において、可能な限り早くＩＷＬＡＮネットワーク再選択を開始する。
【００８６】
さらに、本出願は、２００８年２月８日に出願された欧州特許出願第０８１０１４２７．６号を基礎とする優先権を主張し、当該基礎とする出願のすべての内容は参照することにより本願に組み込まれる。
【図１】
0005589845.tif 000002
【図２】
0005589845.tif 000003
【図３Ａ】
0005589845.tif 000004
【図３Ｂ】
0005589845.tif 000005
【図４】
0005589845.tif 000006
【図５】
0005589845.tif 000007
【図６】
0005589845.tif 000008
【図７】
0005589845.tif 000009
【図８】
0005589845.tif 000010
【図９】
0005589845.tif 000011
【図１０】
0005589845.tif 000012
【図１１】
0005589845.tif 000013